(57)【要約】【課題】給紙口が２つある自動原稿搬送装置において、構成を大型化や複雑化を招くことなく、ジャム等の搬送不良の発生を防止する。【解決手段】自動原稿搬送装置５は、第１の給紙口５９および１枚のみ原稿Ｓがセット可能な第２の給紙口７２を備え、第２の給紙口７２の近傍に設けられたローラ対５２ｃは、第２の給紙口７２にセットされた原稿Ｓの保持も兼ね、ローラ対５２ｃは、第２の給紙口７２に原稿Ｓがセットされると、原稿Ｓを保持した状態で待機し、所定の時間経過後に作動することで原稿Ｓを搬送し、第２の給紙口７２近傍に、第２の給紙口７２への原稿セット可否を通知する赤色ＬＥＤ７５および青色ＬＥＤ７６を設けるよう構成した。【選択図】図５
2017081750.tif 000002
【特許請求の範囲】
【請求項１】
第１の給紙口および第２の給紙口と
原稿台に積載された前記原稿を１枚ずつ前記第１の給紙口より給紙する給紙手段と、
給紙された搬送経路内の前記原稿を搬送する複数の搬送手段と、を備える自動原稿搬送装置において、
第２の給紙口は１枚のみ前記原稿がセット可能な給紙口であり、
前記複数の搬送手段のうち前記第２の給紙口の近傍に設けられた１つの搬送手段は、前記第２の給紙口にセットされた前記原稿の保持も兼ねる保持搬送手段であり、
前記保持搬送手段は、前記第２の給紙口に前記原稿がセットされると、前記原稿を保持した状態で待機し、所定の時間経過後に作動することで前記原稿を搬送し、
前記第２の給紙口近傍に、前記第２の給紙口への原稿セット可否を通知する原稿セット可否通知手段を設けたことを特徴とする自動原稿搬送装置。
【請求項２】
前記原稿セット可否通知手段はＬＥＤで構成されることを特徴とする請求項１に記載の自動原稿搬送装置。
【請求項３】
前記ＬＥＤは赤色ＬＥＤで、原稿セット不可時に点灯することを特徴とする請求項２に記載の自動原稿搬送装置。
【請求項４】
前記ＬＥＤは赤色ＬＥＤと赤色以外のＬＥＤで構成され、原稿セット不可時に赤色ＬＥＤが点灯し、原稿セット可時に赤色以外のＬＥＤが点灯することを特徴とする請求項２に記載の自動原稿搬送装置。
【請求項５】
前記ＬＥＤは赤色以外のＬＥＤで、原稿セット可時にＬＥＤが点灯することを特徴とする請求項２に記載の自動原稿搬送装置。
【請求項６】
前記原稿セット可否通知手段は、前記第１の給紙口もしくは前記第２の給紙口のいずれか一方の給紙された前記原稿の読取動作が開始された場合に、前記第２の給紙口への原稿セット不可を通知することを特徴とする請求項１に記載の自動原稿搬送装置。
【請求項７】
前記原稿セット可否通知手段は、原稿セット不可時に、前記第２の給紙口から前記保持搬送手段への前記原稿の挿入を防止する原稿シャッターで構成されることを特徴とする請求項１に記載の自動原稿搬送装置。
【請求項８】
前記第２の給紙口への前記原稿のセットを検知する原稿セット検知手段を有し、
前記原稿シャッターは、前記原稿セット検知手段よりも搬送方向上流側に設けられ、前記第２の給紙口から前記保持搬送手段への前記原稿の挿入を防止することを特徴とする請求項７に記載の自動原稿搬送装置。
【請求項９】
前記第２の給紙口から給紙する前記原稿を載置する原稿トレイ部は、前記原稿を載置する面の傾斜が前記第２の給紙口より搬送方向下流側の前記搬送経路における搬送面の傾斜と略等しくなるよう、上方に傾斜していることを特徴とする請求項８に記載の自動原稿搬送装置。
【請求項１０】
請求項１〜９に記載の自動原稿搬送装置を備えた画像形成装置。
【発明の詳細な説明】
【技術分野】
【０００１】
本発明は、複数の給紙口を備え、搬送不良の発生を防止可能な自動原稿搬送装置およびこれを備えた画像形成装置に関する。
【背景技術】
【０００２】
一般に、複写機やプリンタ等の画像形成装置、スキャナ等の画像読取装置には、原稿台に載置された原稿束から原稿を１枚ずつ搬送する自動原稿搬送装置が搭載されている。自動原稿搬送装置には、原稿を表裏反転して搬送する反転搬送経路と、原稿をストレートで搬送するストレート搬送経路とを備えるものがある。
【０００３】
このような自動原稿搬送装置では、通常原稿は反転搬送経路を搬送させ、名刺などの厚手原稿やプラスチックカード等の搬送の際に曲げることが好ましくない原稿等についてはストレート搬送経路を搬送させるようになっている。これにより原稿の種類に応じた適切な搬送経路での原稿搬送を行っている。
【０００４】
例えば、特許文献１には、カードなどの硬い原稿を通紙できるようにする目的で、反転して排出するＵターン排紙パスと、原稿をストレートで排出するストレート排紙パスとを有する自動原稿搬送装置の構成が開示されている。
【０００５】
一方、特許文献１に記載された自動原稿搬送装置では給紙口は１つしか設けられていないが、搬送経路の形状によっては１つの給紙口からのみでは完全なストレート搬送経路を確保することが困難な場合がある。このような自動原稿搬送装置においては、ストレート搬送用に給紙口を別途設けることで完全なストレート搬送経路を確保している。
【発明の概要】
【発明が解決しようとする課題】
【０００６】
しかしながら、給紙口を２つ設けた場合、一方の給紙口から原稿を搬送させた状態で同時に他方の給紙口から原稿を搬送させるとジャム等の搬送不良が発生する問題があった。また、給紙口を２つ設けることで自動原稿搬送装置の構成が大型化、複雑化を招きやすい問題があった。
【０００７】
本発明はこのような問題を解決するためになされたもので、給紙口が２つある自動原稿搬送装置において、構成を大型化や複雑化を招くことなく、ジャム等の搬送不良の発生を防止することを目的とする。
【課題を解決するための手段】
【０００８】
本発明に係る画像形成装置は、上記目的を達成するため、第１の給紙口および第２の給紙口と原稿台に積載された前記原稿を１枚ずつ前記第１の給紙口より給紙する給紙手段と、給紙された搬送経路内の前記原稿を搬送する複数の搬送手段と、を備える自動原稿搬送装置において、第２の給紙口は１枚のみ前記原稿がセット可能な給紙口であり、前記複数の搬送手段のうち前記第２の給紙口の近傍に設けられた１つの搬送手段は、前記第２の給紙口にセットされた前記原稿の保持も兼ねる保持搬送手段であり、前記保持搬送手段は、前記第２の給紙口に前記原稿がセットされると、前記原稿を保持した状態で待機し、所定の時間経過後に作動することで前記原稿を搬送し、前記第２の給紙口近傍に、前記第２の給紙口への原稿セット可否を通知する原稿セット可否通知手段を設けたことを特徴とする。
【発明の効果】
【０００９】
本発明によれば、自動原稿搬送装置の構成の大型化や複雑化を招くことなく、ジャム等の搬送不良の発生を防止することができる。
【図面の簡単な説明】
【００１０】
【図１】本発明の第１の実施の形態に係る複写機の概略構成を示す斜視図である。
【図２】本発明の第１の実施の形態に係る複写機の断面図である。
【図３】本発明の第１の実施の形態に係る画像読取部の読取ユニットの構成を説明する図である。
【図４】本発明の第１の実施の形態に係る自動原稿搬送装置の断面図である。
【図５】本発明の第１の実施の形態に係る自動原稿搬送装置の第２の給紙口付近の斜視図である。
【図６】本発明の第１の実施の形態に係る複写機の制御構成を示す概略ブロック図である。
【図７】本発明の第１の実施の形態に係る複写機のＬＥＤ点灯制御を示すフロー図である。
【図８】本発明の第２の実施の形態に係る自動原稿搬送装置の断面図である。
【図９】本発明の第２の実施の形態に係る自動原稿搬送装置の原稿セット禁止の場合の原稿シャッターの動作を説明する図である。
【図１０】本発明の第２の実施の形態に係る自動原稿搬送装置の原稿セット可の場合の原稿シャッターの動作を説明する図である。
【図１１】本発明の第１の実施の形態に係る複写機の原稿シャッター開閉の制御を示すフロー図である。
【発明を実施するための形態】
【００１１】
まず、図１を参照して、本発明の実施の一形態に係る複写機の全体構成について説明する。
【００１２】
（第１の実施の形態）
図１に示すように、複写機１は、画像形成部３と、画像読取部４と、搬送部としての自動原稿搬送装置（以下、単に「ＡＤＦ」とも称する）５と、を含んで構成されている。複写機１は本発明に係る画像形成装置を構成する。
【００１３】
画像形成部３は、例えば露光ユニットと、複数の感光体ドラムと、シアン（Ｃ）、マゼンタ（Ｍ）、イエロー（Ｙ）、ブラック（Ｋ）の４色のトナーを用いる現像装置と、転写ベルト、二次転写部および定着部等とを備えている。この画像形成部３は、画像読取装置６で読み取った読取画像又はＰＣ等外部装置から送信される印刷データに基づき、例えば露光ユニットにより各色の感光体ドラムを露光して各感光体ドラム上に静電潜像を形成し、現像装置の各色の現像ユニットで各感光体ドラムの潜像上にトナーを供給して現像する。また、画像形成部３は、各色の感光体ドラム上のトナー像を転写ベルトに一次転写し、二次転写部で記録紙上に重ねて二次転写した後、定着部により記録紙上のトナー像を加熱および加圧して定着させ、カラー画像を形成することができるようになっている。
【００１４】
次に、図２を用いて自動原稿搬送装置５を含む画像読取装置６の構成について説明する。
【００１５】
画像読取装置６は、自動搬送中に原稿画像を読み取るＤＦスキャナモード（搬送原稿読取りモード）と、平坦なコンタクトガラス上に載置された原稿の画像を読み取るフラットベッドスキャナモード（載置原稿読取りモード）とに切替え可能に構成されている。
【００１６】
フラットベッドスキャナモードにおいて、画像読取部４は、フラットベッドコンタクトガラス４１上の原稿（例えば原稿シート、厚紙、本等）の画像面に光を照射して、その画像面からの反射光を画像信号に変換することにより原稿画像を読み取ることができる。
【００１７】
また、ＤＦスキャナモードにおいて、ＡＤＦ５は、原稿載置台である原稿トレイ５１上に積載された原稿束から原稿Ｓを１枚ずつ分離して原稿搬送経路５２内に搬入し、原稿搬送経路５２に沿って搬送する。そして、その搬送中、原稿Ｓが、その搬送方向の上流側部分から順次部分的に画像読取部４の上面側のＤＦコンタクトガラス４２に対面するようになっている。すなわち、画像読取装置６は、ＡＤＦ５により搬送される原稿Ｓ上の画像を画像読取部４のＤＦコンタクトガラス４２上で順次読取りすることにより、ＤＦスキャナの機能を発揮できるようになっている。
【００１８】
なお、ＡＤＦ５は、装置本体１Ｍの上面側の後部（背面側の部分）に図示しないヒンジ等の開閉機構を介して取り付けられている。そして、ＡＤＦ５は、装置本体１Ｍに対してフラットベッドコンタクトガラス４１上を開放する開位置と、フラットベッドコンタクトガラス４１上の原稿を押付け可能な閉位置とをとり得るようになっている。
【００１９】
次に図３を用いて画像読取装置６に用いられる読取ユニットについて説明する。
【００２０】
フラットベッドコンタクトガラス４１は、画像読取装置６がフラットベッドスキャナとして機能する場合であって読取対象の原稿Ｓが載置されるとき、その原稿Ｓ（以下、第１の原稿ともいう）の画像面に対面するようになっている。また、ＤＦコンタクトガラス４２は、画像読取装置６がＤＦスキャナとして機能する場合に、原稿搬送経路５２の所定読取り位置を通過する原稿Ｓ（以下、第２の原稿ともいう）の画像面に対面するようになっている。さらに、ＤＦコンタクトガラス４２は、フラットベッドコンタクトガラス４１に対して予め設定された傾斜角θをなすよう傾斜している。
【００２１】
画像読取部４の内部には、第１読取ユニット４５（読取ユニット）と、図３中の左右方向に延びるガイドロッド４６とが設けられている。第１読取ユニット４５は、一体型光学走査ユニット４７と、一体型光学走査ユニット４７を保持するブラケット４８と、一体型光学走査ユニット４７およびブラケット４８の間に圧縮状態で組み込まれた複数の圧縮コイルばね４９（弾性部材）とで構成されている。
【００２２】
一体型光学走査ユニット４７は、例えばモールドフレームに、等倍結像素子ルーフミラーレンズアレイ、光路分離ミラー、等倍イメージセンサ、照明光源等を保持させた密着イメージセンサとして構成されている。この一体型光学走査ユニット４７は、画像を主走査方向に高解像でライン走査することができ、ブック原稿等の画像読取りにも対応可能な大きな焦点深度を有するように構成されている。なお、一体型光学走査ユニット４７は、ＤＦスキャナとフラットベットスキャナに対応できる構成であれば、特定の方式に限定されるものではない。主走査方向は、フラットベッドコンタクトガラス４１の上面およびＤＦコンタクトガラス４２の上面の双方に対して平行な方向である。
【００２３】
ブラケット４８は、ガイドロッド４６に支持された下側スライダ部４８ａと、一体型光学走査ユニット４７を保持する一対の保持腕部４８ｂと、これら下側スライダ部４８ａおよび一対の保持腕部４８ｂを一体に装着したブラケット本体部４８ｄとを有している。ここで、下側スライダ部４８ａは、ブラケット本体部４８ｄの長手方向中央の下部に固定された筒状体からなり、一対の保持腕部４８ｂは、ブラケット本体部４８ｄの両端側で図中上方側に突出する一対の板状体によって構成されている。これら一対の保持腕部４８ｂは、一体型光学走査ユニット４７の両端面から垂直に突出する両端突出部４７ａを長手方向軸線回りに姿勢変化可能におよび上下方向に変位可能に保持するよう、垂直方向の長穴（小判穴）４８ｃを有している。
【００２４】
複数の圧縮コイルばね４９は、一体型光学走査ユニット４７の下面部分を主走査方向の複数箇所で上方側（フラットベッドコンタクトガラス４１側、ＤＦコンタクトガラス４２側）に押し付けるようになっている。
【００２５】
また、一体型光学走査ユニット４７の上部には、フラットベッドコンタクトガラス４１およびＤＦコンタクトガラス４２のうち少なくとも一方の下面に当接しつつ副走査方向に円滑に滑り動く矩形環状の上部スライダ部４７ｂが装着されている。なお、この上部スライダ部４７ｂは、一体型光学走査ユニット４７の長手方向または短手方向に延在するとともに、その延在方向と直交する方向で互いに離間する突起状のものであってもよい。また、上部スライダ部４７ｂは、複数の半球状の突起等で構成されてもよい。いずれの場合も、上部スライダ部４７ｂは、フラットベッドコンタクトガラス４１およびＤＦコンタクトガラス４２の下面かそれに代わるガイド面に対し、低摩擦係数で摺動性・滑動性が良く、無潤滑にできる素材で形成されるのがよい。
【００２６】
一体型光学走査ユニット４７は、また、ブラケット４８の下方側に配置されたガイドロッド４６によって副走査方向に移動自在に案内されている。そして、その副走査方向の位置に応じて、一体型光学走査ユニット４７は、その上部でフラットベッドコンタクトガラス４１およびＤＦコンタクトガラス４２のうちいずれか片方または両方にスライド可能に当接する。これにより、第１読取ユニット４５は、ガイドロッド４６に沿って移動自在であるものの、ガイドロッド４６の軸回りの傾きを規制される。
【００２７】
この第１読取ユニット４５は、フラットベッドコンタクトガラス４１上の原稿の画像面を主走査方向にライン走査するとともに副走査方向に移動することで、原稿の画像を読み取ることができる。また、第１読取ユニット４５は、ＤＦコンタクトガラス４２上を通過する搬送原稿の画像を主走査方向にライン走査することで、原稿の画像を読み取ることができる。なお、画像読取部４の内部には、無端のループ状でその周方向の一箇所に第１読取ユニット４５のブラケット４８が固定されたタイミングベルトが設けられている。また、画像読取部４の内部には、タイミングベルトが弛みなく掛け渡された複数のタイミングプーリと、いずれか１つのタイミングプーリを回転駆動するモータ等が設けられている。
【００２８】
フラットベットスキャナモードの読取動作を行う場合、第１読取ユニット４５は、ホームポジションから副走査方向一方側に移動しながら、例えば図２に実線で示す停止位置付近のホームポジションから同図中の右側に移動する。そして、その微小移動距離毎に一体型光学走査ユニット４７によるライン走査を実行して、フラットベッドコンタクトガラス４１上の載置原稿の表面（下面）の画像を読み取る。また、その読取動作が終了すると、第１読取ユニット４５は、再度ホームポジションに戻る。
【００２９】
ＤＦスキャナモードの読取動作を行う場合、第１読取ユニット４５は、図２に実線で示すように、ホームポジションからＤＦコンタクトガラス４２の下方に移動する。すなわち、第１読取ユニット４５は、ホームポジションから予め設定された距離だけ副走査方向他方側に移動してＤＦコンタクトガラス４２の下方で停止し、ＤＦコンタクトガラス４２上を通過する搬送原稿の表面の画像を読み取る。
【００３０】
第１読取ユニット４５は、このように、フラットベッドコンタクトガラス４１の下方側とＤＦコンタクトガラス４２の下方側とに位置し得るよう副走査方向に移動可能である。そして、一体型光学走査ユニット４７は、その副走査方向位置に応じて、図３（ａ）に示すフラットベッドコンタクトガラス４１を通して画像読取り可能な水平の第１読取姿勢と、図３（ｃ）に示すＤＦコンタクトガラス４２を通して画像読取り可能な傾斜した第２読取姿勢と、図３（ｂ）に示す中間的な位置に姿勢変化する。
【００３１】
ＡＤＦ５は、定型の原稿Ｓを載置可能な原稿載置台としての原稿トレイ５１と、原稿Ｓを画像読取り可能に搬送する原稿搬送経路５２と、画像読取り後の原稿Ｓをスタックする排紙トレイ５３とを備えている。原稿トレイ５１と排紙トレイ５３とは、小型化を目的として、少なくともそれらの一部が離間する状態で上下に重ねて配置されている。
【００３２】
次に図４を用いてＡＤＦ５の第１の給紙口５９および反転搬送経路について説明する。
【００３３】
ＡＤＦ５は、原稿トレイ５１に載置された原稿束から最上位の原稿Ｓを１枚ずつ分離して反転搬送可能に折り返された反転搬送経路である原稿搬送経路５２内に搬入し給紙する分離ユニット５２ａを有している。原稿搬送経路５２は本発明に係る搬送経路を構成する。分離ユニット５２ａは本発明に係る給紙手段を構成する。
【００３４】
原稿Ｓは第１の給紙口５９より原稿搬送経路５２内に搬入される。ここで原稿搬送経路５２とは、第１の給紙口５９から排紙口５６までの搬送経路を指す。原稿搬送経路５２のうちローラ対５２ｃ以降の下流側部分は、後述するストレート搬送経路６０も兼ねるようになっている。第１の給紙口５９の入口部には、原稿セットセンサ５８があり、第１の給紙口５９から原稿Ｓが差し込まれたのを検知する。
【００３５】
分離ユニット５２ａで１枚に分離された原稿Ｓは、ローラ対５２ｂ、５２ｃ、５２ｄにより読取部へ向けて搬送され、レジストセンサ５７によって読取のタイミングを原稿先端と合わせて表面読取部で表面の画像が読み取られ、その後裏面読取部６９で裏面が読み取られた後に排紙ローラ５２ｄによって排紙口５６から排紙トレイ５３に排紙される。ローラ対５２ｂ、５２ｃ、５２ｄは本発明に係る搬送手段を構成する。
【００３６】
次に図４および図５を用いてＡＤＦ５の第２の給紙口７２およびストレート搬送経路について説明する。
【００３７】
ＡＤＦ５は、カードや厚紙など、反転搬送では搬送できない原稿Ｓを読み取るためのストレート搬送経路６０を有している。図４に示すように、ストレート搬送経路６０は、原稿搬送経路５２の一部であるローラ対５２ｃ以降の下流側の搬送経路を含む経路であり、第２の給紙口７２から排紙口５６までの搬送経路を指す。ここにいうカードとは、ＩＤカード（身分証明書カード）、交通系カード等である。よって、ここでの小サイズとは、例えば身分証明書カードの形状を定めた国際規格であるＩＳＯ／ＩＥＣ  ７８１０のＩＤ−１、ＩＤ−２またはＩＤ−３のいずれか、またはそれと同程度のカードサイズである。
【００３８】
ストレート搬送経路６０を使用する場合は、図５に示す第２の給紙口７２から原稿Ｓを手差しで１枚ずつ差し込み挿入する。第２の給紙口７２は開閉式の手差し原稿トレイ７３を開放することで給紙可能となる。手差し原稿トレイ７３は、本発明に係る原稿トレイ部を構成する。
【００３９】
手差し原稿トレイ７３は、常時は閉じていてカバー５５の側面の一部を構成し、第２の給紙口７２を開放するように回動可能となっている。第２の給紙口７２の入口部には、手差しセット検知センサ７４があり、第２の給紙口７２から原稿Ｓが差し込まれたのを検知する。手差しセット検知センサ７４で原稿Ｓの差込を検知すると、所定時間経過後にローラ対５２ｃが回転し、原稿Ｓの先端をローラ対５２ｃの下流にあるレジストセンサ５７が検知したところでローラ対５２ｃの回転を停止し、その状態で原稿Ｓを挟持し保持する。ローラ対５２ｃは原稿Ｓを保持し待機した後、読み取り動作指令がなされると、原稿Ｓをストレート搬送経路６０に搬送する。手差しセット検知センサ７４は、本発明に係る原稿セット検知手段を構成する。
【００４０】
手差しセット検知センサ７４による検知後に、すぐにローラ対５２ｃを回転してしまうと、ユーザは回転したローラ対５２ｃに原稿Ｓを差し込むことになるため、斜めの状態で原稿Ｓがローラ対５２ｃに保持されてしまう懸念がある。そのため、手差しセット検知センサ７４で検知してから一定時間経過した後にローラ対５２ｃを回転させることで、ユーザが停止したローラ対５２ｃのニップに原稿Ｓを突き当てるため、原稿Ｓの斜行を補正することができるようになる。
【００４１】
ユーザによって、操作部１５０上から読み取り開始指示がされると、ローラ対５２ｃが回転し、レジストセンサ５７によって、読み取り開始タイミングと原稿先端とあわせて、一体型光学走査ユニット４７および裏面読取部６９にて読み取りがなされる。
【００４２】
図４に示したように、ローラ対５２ｃ以降の原稿搬送経路５２およびローラ対は、反転搬送経路である原稿搬送経路５２およびストレート搬送経路６０で兼用になっている。ローラ対５２ｃは、第２の給紙口７２の近傍に設けられ、第２の給紙口７２にセットされた原稿Ｓの保持も兼ねている。第２の給紙口７２からの１枚手差しセット時の保持ローラとして反転搬送経路で使用されているローラ対５２ｃを共通で使用することで、マシンサイズをＵＰすることなく、１枚手差し給紙が可能となる。ローラ対５２ｃは本発明に係る保持搬送手段を構成している。
【００４３】
第２の給紙口７２からの１枚手差し時の保持ローラ対を反転搬送経路である原稿搬送経路５２のローラ対５２ｃと兼用で使用しているため、反転搬送経路で読み取りを行っている時には、ローラ対５２ｃはずっと回転しており、１枚手差しの原稿Ｓが第２の給紙口７２から差し込まれると、その原稿Ｓも搬送経路内に搬送されてしまい、ジャム等の搬送不良が生じる。
【００４４】
また、第２の給紙口７２から１枚手差しの読み取りを行っている場合には、前の原稿Ｓが排紙しきらないうちに、次の原稿Ｓをローラ対５２ｃにセットすると、そのまま次の原稿Ｓも搬送経路内に搬送されてしまい、搬送不良が生じる。特に１つのモータですべてのローラを動作している場合は単独でモータを止められないので、前の原稿Ｓが排紙しきるまで、ローラを回し続けなければならず、より搬送不良の発生する可能性が増す。
【００４５】
本実施の形態では、上記搬送不良を防止するために、図５に示すように第２の給紙口近傍に赤色ＬＥＤ７５を設け、原稿搬送経路５２（反転搬送経路）、ストレート搬送経路６０のいずれかで読取動作が開始されている読取動作中には、赤色ＬＥＤ７５を点灯させ、ユーザに第２の給紙口７２に原稿セット不可であることを通知する手段を設けている。これにより、ユーザは赤色ＬＥＤ７５が点灯している間は、１枚手差しの第２の給紙口７２への原稿セットが不可であることを容易に認識できる。
【００４６】
また、赤色ＬＥＤ７５に加えて他の色を発光する青色ＬＥＤ７６を設け、第２の給紙口７２への原稿セットが不可の場合には赤色ＬＥＤ７５を点灯させ、原稿セットが可能であれば青色ＬＥＤ７６を点灯するようになっている。これによりユーザにわかりやすく第２の給紙口への原稿セットの可否を通知することができる。本実施の形態ではユーザに第２の給紙口への原稿セットの可否を通知するＬＥＤとして赤色ＬＥＤと青色ＬＥＤを用いているが他の色を発光するＬＥＤを用いてもよい。赤色ＬＥＤ７５および青色ＬＥＤ７６は本発明に係る原稿セット可否通知手段を構成する。
【００４７】
第２の給紙口７２に原稿Ｓがセットされた場合は、読取動作指令により動作が開始される前でも、原稿Ｓがセットされた時点で赤色ＬＥＤ７５を点灯（同時に青色ＬＥＤ７６がある場合は青色ＬＥＤ７６を消灯）してもよい。また、青色ＬＥＤ７６のみを設け、第２の給紙口７２に原稿セット可時に点灯させるようにしても、ユーザに視覚的にセットで可能であることを通知できる。
【００４８】
図６に示すように、複写機１は、自動原稿搬送制御用の制御部１００と、装置本体制御用の本体制御部１１１と、本体制御部１１１に付帯する操作部１５０とを備えている。
【００４９】
制御部１００は、原稿セットセンサ５８、手差しセット検知センサ７４、レジストセンサ５７の他、ホームポジションセンサ８３、突当センサ８５、原稿幅センサ８６、読取入口センサ８７、排紙センサ８９等の各種センサの検知信号を取り込むようになっている。
【００５０】
制御部１００は、分離ユニット５２ａのピックアップローラを駆動するピックアップモータ１０１、ローラ対５２ｂを駆動する給紙モータ１０２およびローラ対５２ｃ、５２ｄを駆動する読取モータ１０３を作動させるようになっている。また、制御部１００は、排紙ローラを駆動する排紙モータを作動させるようになっている。
【００５１】
制御部１００と本体制御部１１１とは、インターフェース１０７を介して接続されている。本体制御部１１１は、操作部１５０のプリントキーが押下されると、インターフェース１０７を介して制御部１００に原稿給紙信号や読取開始信号を送信するようになっている。制御部１００は、読取開始信号による読取動作の開始指令の有無によって、後述する赤色ＬＥＤ７５や青色ＬＥＤ７６の点灯制御を行うようになっている。
【００５２】
図７は本実施の形態におけるＬＥＤ点灯制御のフロー図である。
【００５３】
制御部１００は、第２の給紙口７２に原稿Ｓがセットされているか否かを判断する（ステップＳ１）。制御部１００は、原稿Ｓが第２の給紙口７２にセットされている場合、本体制御部１１１より読取動作の開始指令がなされているか否かを判断する（ステップＳ２）。制御部１００は、読取動作の開始指令がなされている場合は赤色ＬＥＤ７５を点灯させ、青色ＬＥＤ７６消灯させる（ステップＳ３）。読取動作の開始指令がなされていない場合は、ステップＳ１に戻り再度第２の給紙口７２に原稿Ｓがセットされているか否かを判断する。
【００５４】
次いで、制御部１００は第２の給紙口７２からストレート搬送経路６０へ搬送させた原稿Ｓの読取を行わせ（ステップＳ４）、読取動作が完了すると赤色ＬＥＤ７５を消灯させ、青色ＬＥＤ７６を点灯させ（ステップＳ９）、ＡＤＦ５は再度待機状態となる（ステップＳ１０）。
【００５５】
制御部１００は、ステップＳ１において原稿Ｓが第２の給紙口７２にセットされていない場合、第１の給紙口５９に原稿Ｓがセットされているか否かを判断する（ステップＳ５）。制御部１００は、第１の給紙口５９に原稿Ｓがセットされていない場合は、ステップＳ１に戻り再度第２の給紙口７２に原稿Ｓがセットされているか否かを判断する。制御部１００は、第１の給紙口５９に原稿Ｓがセットされている場合は、本体制御部１１１より読取動作の開始指令がなされているか否かを判断する（ステップＳ６）。
【００５６】
制御部１００は、読取動作の開始指令がなされている場合は赤色ＬＥＤ７５を点灯させ、青色ＬＥＤ７６消灯させる（ステップＳ７）。読取動作の開始指令がなされていない場合は、ステップＳ１に戻り再度第２の給紙口７２に原稿Ｓがセットされているか否かを判断する。
【００５７】
次いで、制御部１００は第１の給紙口５９から反転搬送経路である原稿搬送経路５２へ搬送させた原稿Ｓの読取を行わせ（ステップＳ８）、読取動作が完了すると赤色ＬＥＤ７５を消灯させ、青色ＬＥＤ７６を点灯させ（ステップＳ９）、ＡＤＦ５は再度待機状態となる（ステップＳ１０）。このように、第１の給紙口５９と第２の給紙口７２の両方に原稿Ｓがセットされている場合は、例えばクラッチなどで第１の給紙口５９への伝達を遮断し、第２の給紙口７２からのストレート搬送読み取りを優先するようにしてジャム等の搬送不良を防止している。
【００５８】
以上のように、本実施の形態に係る複写機１は、自動原稿搬送装置５を備え、自動原稿搬送装置５は、第１の給紙口５９および第２の給紙口７２と原稿台に積載された原稿Ｓを１枚ずつ第１の給紙口５９より給紙する分離ユニット５２ａと、給紙された原稿搬送経路５２内の原稿Ｓを搬送する複数のローラ対５２ｂ、５２ｃ、５２ｄと、を備えている。また、自動原稿搬送装置５における第２の給紙口７２は１枚のみ原稿Ｓがセット可能な給紙口であり、複数のローラ対５２ｂ、５２ｃ、５２ｄのうち第２の給紙口７２の近傍に設けられたローラ対５２ｃは、第２の給紙口７２にセットされた原稿Ｓの保持も兼ねている。
【００５９】
また、自動原稿搬送装置５におけるローラ対５２ｃは、第２の給紙口７２に原稿Ｓがセットされると、原稿Ｓを保持した状態で待機し、所定の時間経過後に作動することで原稿Ｓを搬送し、第２の給紙口７２近傍に、第２の給紙口７２への原稿セット可否を通知する赤色ＬＥＤ７５および青色ＬＥＤ７６を設けるようになっている。赤色ＬＥＤは原稿セット不可時に点灯し、青色ＬＥＤ７６は原稿セット可時に点灯するようになっている。
【００６０】
この構成により、ユーザは第２の給紙口７２の近傍に第２の給紙口７２への原稿セット可否を通知する赤色ＬＥＤ７５と青色ＬＥＤ７６が設けられているため、容易に第２の給紙口７２への原稿セット可否を判断することができるので、第１の給紙口５９より挿入された原稿Ｓが原稿搬送経路５２内を搬送中に誤って原稿Ｓをセットしてジャム等の搬送不良の発生を防止することができる。
【００６１】
また、第２の給紙口７２の近傍に設けられたローラ対５２ｃが原稿搬送経路５２内の原稿Ｓを搬送する手段と第２の給紙口７２にセットされた原稿Ｓの保持も兼ねるため、第２の給紙口７２にセットされた原稿Ｓを保持するためにのみ新たなローラ等を追加する必要がなく、自動原稿搬送装置５の構成の大型化や複雑化を防止することができる。
【００６２】
また、赤色ＬＥＤ７５および青色ＬＥＤ７６は、第１の給紙口５９もしくは第２の給紙口７２のいずれか一方の給紙された原稿Ｓの読取動作が開始された場合に、第２の給紙口７２への原稿セット不可を通知するようにしてもよい。この構成により、ユーザは容易に第２の給紙口７２への原稿セット可否を判断することができるので、第１の給紙口５９より搬入された原稿Ｓが原稿搬送経路５２内を搬送中に誤って原稿をセットしてジャム等の搬送不良の発生を防止することができる。
【００６３】
（第２の実施の形態）
以下、第２の実施の形態に係る複写機および自動原稿搬送装置について説明する。
【００６４】
本実施の形態に係る複写機および自動原稿搬送装置は、第１の実施の形態とは、原稿セット可否通知手段としてＬＥＤでなく原稿シャッターを用いる点で異なるが、他の構成は基本的に同様である。したがって、同一の構成要素については、図１〜図７に示した第１の実施形態と同一の符号を用いて説明し、特に相違点について説明する。
【００６５】
図８に示すように、自動原稿搬送装置５のストレート搬送経路６０の手差しセット検知センサ７４よりも上流側にシャッター部材で構成される原稿シャッター７７が設けられている。原稿シャッター７７は本発明に係る原稿セット可否通知手段を構成する。原稿シャッター７７は、第２の給紙口７２への原稿セットが不可の場合、すなわち原稿搬送経路５２（反転搬送経路）、ストレート搬送経路６０のいずれかで読取動作が開始されている読取動作中は、第２の給紙口７２に飛び出し、ユーザによる第２の給紙口７２からローラ対５２ｃへの原稿差込を防止するようになっている。原稿シャッター７７の飛び出しにより、物理的に第２の給紙口７２への原稿差込が防止されるとともに、視覚的にも原稿差込ができないことをユーザが容易に認識できる。
【００６６】
また、原稿シャッター７７を手差しセット検知センサ７４よりも上流に配置することで、原稿シャッター７７で差し込みを防止している原稿Ｓを手差しセット検知センサ７４がセットされていると誤検知することをなくすことができる。
【００６７】
図９に原稿セット禁止の場合の状態、図１０に原稿セット可の場合の状態を示す。
【００６８】
図９に示すように原稿シャッター７７は、駆動源であるソレノイド７８によって作動される。ただし、原稿シャッター７７の駆動源としてはソレノイドに限らず搬送モータの駆動を用いてもよい。駆動源への動作指令は制御部１００が行うようになっている。図９に示す原稿セット禁止の場合では、ソレノイド７８がＯＮし、スプリング７９の力に勝って原稿シャッター７７を図中矢印方向に回転させる。この状態では、原稿シャッター７７が第２の給紙口７２の略中央部をふさぐため、原稿Ｓの差し込みが禁止される。
【００６９】
図１０に示す原稿セット可の場合では、ソレノイド７８がＯＦＦし、スプリング７９の力によって、原稿シャッター７７が図中矢印方向に回転し、第２の給紙口７２から原稿シャッター７７が退避するので、第２の給紙口７２に原稿Ｓをセットできるようになる。
【００７０】
また図８に示すように、手差し原稿トレイ７３を搬送方向に向けて上方に傾かせている。手差し原稿トレイ７３の原稿Ｓを載置する面の傾斜は第２の給紙口７２より搬送方向下流側のストレート搬送経路６０における搬送面の傾斜と略等しくなっている。これにより、原稿シャッター７７でセットを阻止された原稿Ｓは、手差し原稿トレイ７３上で保持することができないため、ユーザは必ず一度原稿Ｓを引き抜いて、原稿セット可能状態になった時（原稿シャッター７７が図１０の状態になった時）に、再度挿入することになる。
【００７１】
原稿シャッター７７でセットを阻止した時に、原稿Ｓが手差し原稿トレイ７３上で保持できてしまうと、ユーザは引き抜かなくても済むため、原稿Ｓがセットできたと勘違いしてしまう懸念がある。この場合は、原稿セット可能状態になった時に、操作部上のアニメ等で、ユーザに原稿Ｓを再度差し込むように、誘導する必要が生じる。
【００７２】
原稿シャッター７７の動作制御としては反転搬送動作時の場合は読取動作開始と同時に原稿シャッター７７をＯＮとし、手差し部への原稿挿入を防止する。ストレート搬送動作時は動作開始と同時に原稿シャッター７７をＯＮとすると原稿シャッター７７が原稿Ｓへ接触してしまうため、ストレート搬送中の原稿後端が手差しセットセンサを抜けた後にＯＮとする。これにより、原稿シャッター７７の原稿Ｓへの接触を防止することができる。
【００７３】
図１１は原稿シャッターの開閉制御のフロー図である。
【００７４】
制御部１００は、第２の給紙口７２に原稿Ｓがセットされているか否かを判断する（ステップＳ１１）。制御部１００は、原稿Ｓが第２の給紙口７２にセットされている場合、本体制御部１１１より読取動作の開始指令がなされているか否かを判断する（ステップＳ１２）。制御部１００は、読取動作の開始指令がなされている場合はストレート搬送経路６０における読取を開始する（ステップＳ１３）。読取動作の開始指令がなされていない場合は、ステップＳ１１に戻り再度第２の給紙口７２に原稿Ｓがセットされているか否かを判断する。
【００７５】
次いで制御部１００は、第２の給紙口７２からストレート搬送経路６０へ搬送させた原稿Ｓの読取を開始させ（ステップＳ１３）、手差しセット検知センサ７４をオフとする（ステップＳ１４）。次いで制御部１００は原稿シャッター７７をオンとし（ステップＳ１５）第２の給紙口７２への原稿セットを防止する。制御部１００は、ストレート搬送経路６０における読取が完了すると（ステップＳ１６）、原稿シャッター７７が第２の給紙口７２を塞ぐ状態を解除し（ステップＳ２１）、ＡＤＦ５は再度待機状態となる（ステップＳ２２）。
【００７６】
制御部１００は、ステップＳ１１において原稿Ｓが第２の給紙口７２にセットされていない場合、第１の給紙口５９に原稿Ｓがセットされているか否かを判断する（ステップＳ１７）。制御部１００は、第１の給紙口５９に原稿Ｓがセットされていない場合は、ステップＳ１１に戻り再度第２の給紙口７２に原稿Ｓがセットされているか否かを判断する。制御部１００は、第１の給紙口５９に原稿Ｓがセットされている場合は、本体制御部１１１より読取動作の開始指令がなされているか否かを判断する（ステップＳ１８）。
【００７７】
制御部１００は、読取動作の開始指令がなされている場合は原稿シャッター７７をオンとし（ステップＳ１９）、原稿搬送経路５２での反転搬送読取を行う（ステップＳ２０）。制御部１００は、反転搬送読取が完了すると原稿シャッター７７が第２の給紙口７２を塞ぐ状態を解除し（ステップＳ２１）、ＡＤＦ５は再度待機状態となる（ステップＳ２２）。
【００７８】
以上のように本実施の形態に係る自動原稿搬送装置５は、原稿セット可否通知手段は、原稿セット不可時に、第２の給紙口７２からローラ対５２ｃへの原稿Ｓの挿入を防止する原稿シャッター７７で構成されている。
【００７９】
この構成により、ユーザは原稿セット不可時に第２の給紙口７２から原稿Ｓを挿入できなくなるため、第１の給紙口５９より挿入された原稿Ｓが原稿搬送経路５２内を搬送中に誤って原稿Ｓをセットしてジャム等の搬送不良の発生を防止することができる。
【００８０】
また、自動原稿搬送装置５は、第２の給紙口７２への原稿Ｓのセットを検知する手差しセット検知センサ７４を有し、原稿シャッター７７は、手差しセット検知センサ７４よりも搬送方向上流側に設けられ、第２の給紙口７２からローラ対５２ｃへの原稿Ｓの挿入を防止するようにしてもよい。
【００８１】
この構成により、原稿シャッター７７で差し込みを防止している原稿Ｓを手差しセット検知センサ７４がセットされていると誤検知することをなくし、原稿Ｓの搬送不良をより防止することができる。
【００８２】
また、第２の給紙口７２から給紙する原稿Ｓを載置する手差し原稿トレイ７３は、原稿Ｓを載置する面の傾斜が第２の給紙口７２より搬送方向下流側のストレート搬送経路６０における搬送面の傾斜と略等しくなるよう、上方に傾斜させてもよい。この構成により、原稿シャッター７７でセットを阻止された原稿Ｓは手差し原稿トレイ７３上で保持できず、ユーザが原稿Ｓがセットされたと勘違いすることにより生じる不便性を解消することができる。
【００８３】
以上、本発明の実施の形態について説明したが、本発明は上述の実施の形態に限定されるものではなく、本発明の要旨を逸脱しない範囲で種々の変更を加え得ることは勿論である。
【００８４】
本発明によれば、自動原稿搬送装置の構成の大型化や複雑化を招くことなく、ジャム等の搬送不良の発生を防止することができ自動原稿搬送装置および画像形成装置全般に有用である。
【符号の説明】
【００８５】
１  複写機
１Ｍ  装置本体
５  自動原稿搬送装置
５１  原稿トレイ（原稿台）
５２  原稿搬送経路（搬送経路）
５２ａ  分離ユニット（給紙手段）
５２ｂ  ローラ対（搬送手段）
５２ｃ  ローラ対（搬送手段、保持搬送手段）
５２ｄ  ローラ対（搬送手段）
５９  第１の給紙口
６０  ストレート搬送経路（搬送経路）
７２  第２の給紙口
７３  手差し原稿トレイ（原稿トレイ部）
７４  手差しセット検知センサ（原稿セット検知手段）
７５  赤色ＬＥＤ（原稿セット可否通知手段）
７６  青色ＬＥＤ（原稿セット可否通知手段）
７７  原稿シャッター（原稿セット可否通知手段）
Ｓ  原稿
【先行技術文献】
【特許文献】
【００８６】
【特許文献１】特開２０１２−２０６８４１号公報
【図１】
2017081750.tif 000003
【図２】
2017081750.tif 000004
【図３】
2017081750.tif 000005
【図４】
2017081750.tif 000006
【図５】
2017081750.tif 000007
【図６】
2017081750.tif 000008
【図７】
2017081750.tif 000009
【図８】
2017081750.tif 000010
【図９】
2017081750.tif 000011
【図１０】
2017081750.tif 000012
【図１１】
2017081750.tif 000013